(57)【特許請求の範囲】
【請求項１】
超音波加湿器において、
水槽の水温が上がることで、冷却効果が十分でなくなることを回避し、超音波加湿器本体内の基盤、及び／又は、電気機器と、前記水槽の空冷を達成するために、
前記超音波加湿器本体の短手方向に、背面板と正面板とを対峙して設け、この背面板に前記水槽と加湿ユニットを配備するとともに、この正面板に基盤を配備し、前記超音波加湿器本体の長手方向に、一面板と他面板とを対峙して設け、この一面板に空気吸込み口を設けるとともに、この他面板に空気排気口を配備し、この空気吸込み口からこの空気排気口に向う空気通路を形成するとともに、この空気通路は前記水槽の長手方向(Ｙ)の側壁に設け、前記空気通路を流れる空気は、前記基盤、及び／又は、前記電気機器と、前記水槽側壁に接触可能としたことを特徴とする超音波加湿器の空冷装置。
【請求項２】
前記基盤を、正面板部の内壁に設けるとするとともに、この正面板の上下部には接触せず、この上下部の間に形成された中部に設ける構成とした請求項１に記載の超音波加湿器の空冷装置。
【請求項３】
前記基盤の電気機器を、前記水槽に対峙して設けるとともに、この電気機器と、この水槽との間にも、前記空気通路を形成する構成とした請求項１に記載の超音波加湿器の空冷装置。
【請求項４】
前記基盤の電気機器のみを、正面板部の内壁に設け、この電気機器に指令を発するリレー基板を、前記水槽の側壁（基盤側の側壁）に設ける構成とした請求項１に記載の超音波加湿器の空冷装置。
【請求項５】
前記加湿ユニットの発振器を、前記水槽の底板に設けるとともに、この加湿ユニットの発振器と、前記超音波加湿器本体の底板との間に、前記空気通路を確保する構成とした請求項１に記載の超音波加湿器の空冷装置。
【発明の詳細な説明】
【技術分野】
【０００１】
本発明は、超音波加湿器の空冷装置に関する。
【背景技術】
【０００２】
従来、超音波加湿器において、基盤、及び／又は、その電気機器の冷却を目的とする際に、簡易、かつ付設された装置の有効利用として、水槽の水を利用して行う方法が周知である。しかしながら、水槽の水温が上がることで、冷却効果が十分でなく、例えば、椎茸栽培に使用される業務用超音波加湿器の冷却装置においては、改良が要望されている。
【０００３】
以上の観点から、本出願人は、超音波加湿器の空冷装置を考えるに到った。そこで、基盤、及び／又は、その電気機器の空冷装置に関する先行文献を調査した結果、複数の発明がヒットしたので、関連性がある、以下の発明を、一例として説明する。
【０００４】
文献（１）は、特開平６−２３６６７７号公報に記載の発明であって、冷却ファンによる匡体（筐体）内の冷却であり、後面に冷却ファンを、前面に挿入口をそれぞれ設け、半導体レーザ保持部材と回路基盤を冷却する構造である。しかし、この発明は、冷却ファンの送出し側に、可撓制の弁とか、第２通風路を設けた構造であり、冷却ファンの吸込み風は、直接的に、半導体レーザを冷却し、続いて、回路基盤を副次的に冷却する構造である。従って、回路基盤の冷却効果は、期待できないと考えられる。
【０００５】
文献（２）は、特開平６−２６６７７号公報に記載の発明であって、超音波加湿器本体に設けたファンで、外気を吸込み、本体内の内部空間に吸込み、超音波振動子の発振ユニット、ファン駆動モータ等を空冷する構造である。また、吸込み空気と霧化した液体との混合にも活用する。この発明は、単に内部空間に外気を取込むものであり、基盤の冷却を意図しない。即ち、小型の加湿器であり、業務用としては、使用できない構造と考えられる。
【０００６】
【特許文献１】特開平６−２３６６７７号公報
【特許文献２】特開平６−２６６７７号公報
【発明の概要】
【発明が解決しようとする課題】
【０００７】
前述の如く、文献（１）と文献（２）においては、何れも小型形状の加湿器に採用するには、有益と考えられる。しかしながら、本発明が意図する、例えば、椎茸栽培であって、業務用で、かつ昼夜を通して駆動する加湿器には、向かない構造である。その理由は、以下のことが考えられる。文献（１）では、軽量小型の光学的情報記録再生装置の空冷手段であり、また文献（２）では、空気通路で気化された霧と空気とを混合する超音波加湿器と、その空冷手段であり、業務用としての役割をこなすことは不可能である。
【０００８】
上記に鑑み、本発明は、業務用の超音波加湿器に最適な空冷手段を提供し、基盤、及び／又は、電気機器の空冷を効率的に行うことと、超音波加湿器長の長時間の使用に対応可能な、空冷手段の提供とを意図する。
【課題を解決するための手段】
【０００９】
本発明は、業務用の超音波加湿器に最適な空冷手段を提供し、基盤、及び／又は、電気機器の空冷を効率的に行うことで、この機材の保護と、継続した使用を可能とした。即ち、業務用の超音波加湿器としての役割を担い得る空冷手段の提供と、併せて、超音波加湿器の長時間の使用に対応可能な構造とするために、基盤、及び／又は、電気機器の空冷に役立つ、空冷手段の提供とを図る。
【００１０】
その空冷手段の構造（超音波加湿器の空冷装置）を、請求項１−５で説明する。
【発明の効果】
【００１１】
請求項１の発明は、超音波加湿器において、
水槽の水温が上がることで、冷却効果が十分でなくなることを回避し、超音波加湿器本体内の基盤、及び／又は、電気機器の空冷を達成するために、
超音波加湿器本体の短手方向に、背面板と正面板とを対峙して設け、背面板に水槽と加湿ユニットを配備するとともに、正面板に基盤を配備し、超音波加湿器本体の長手方向に、一面板と他面板とを対峙して設け、一面板に空気吸込み口を設けるとともに、他面板に空気排気口を配備し、空気吸込み口から空気排気口に向う空気通路を形成するとともに、空気通路は水槽の長手方向(Ｙ)の側壁に設け、空気通路を流れる空気は、基盤、及び／又は、電気機器と、水槽側壁に接触可能としたことを特徴とする超音波加湿器の空冷装置であり、業務用の超音波加湿器に最適な空冷手段であって、水槽の水温が上がることで、冷却効果が十分でなくなることを回避できる。従って、基盤、及び／又は、電気機器と、水槽の空冷を効率的に行うことで、この機材の保護と、継続した使用を可能とした。また、業務用の超音波加湿器としての役割を担い得る空冷手段であって、超音波加湿器の長時間の使用に対応可能な構造となり、かつ基盤、及び／又は、電気機器と、水槽の空冷に役立つ、空冷手段の提供に途を開く構造となった。
【００１２】
請求項２の発明は、基盤を、正面板部の内壁に設けるとともに、正面板の上下部には接触せず、上下部の間に形成された中部に設ける超音波加湿器の空冷装置であり、請求項１の特徴達成とともに、もっとも、基盤の空冷に適した、当該基盤の取付け位置を提供できる。
【００１３】
請求項３の発明は、基盤の電気機器を、水槽に対峙して設けるとともに、電気機器と、水槽との間にも、空気通路を形成する超音波加湿器の空冷装置であり、請求項１の特徴達成とともに、もっとも、電気機器を備えた基盤の空冷に適した、当該基盤と、超音波加湿器本体との取付け位置の関係を提供できる。
【００１４】
請求項４の発明は、基盤の電気機器のみを、正面板部の内壁に設け、電気機器に指令を発するリレー基板を、水槽の側壁（基盤側の側壁）に設ける超音波加湿器の空冷装置であり、請求項１の特徴達成とともに、もっとも、電気機器を備えた基盤の空冷に適した、当該基盤と、リレー基板との取付け位置の関係を提供できる。
【００１５】
請求項５の発明は、加湿ユニットの発振器を、水槽の底板に設けるとともに、加湿ユニットの発振器と、超音波加湿器本体の底板との間に、空気通路を確保する超音波加湿器の空冷装置であり、請求項１の特徴達成とともに、もっとも、電気機器を備えた基盤の空冷に適した、超音波振動子の取付け位置を提供できる。
【図面の簡単な説明】
【００１６】
【図１】超音波加湿器の側面から見た断面図
【図２】超音波加湿器の正面から透視した模式図
【図３】超音波加湿器の平面から見た断面図
【発明を実施するための形態】
【００１７】
以下、本発明の好ましい、超音波加湿器の一実施例を説明する。
【００１８】
図中１は超音波加湿器であり、この超音波加湿器１の外郭は、方形状の本体１００と、この本体１００の上面開口１００ａを塞ぐ開口１０１ａを備えた蓋体１０１とで構成する。本体１００は、短手方向Ｘに、背面板１００−１と正面板１００−２とを対峙して設け、本体の長手方向Ｙに、一面板１００−３と他面板１００−４とを対峙して設けて形成する。この背面板１００−１に僅かな間隔をおいて水槽２と加湿ユニット７を配備するとともに、正面板１００−２に基盤３を設ける。また、一面板１００−３に吸込み口１１を、他面板１００−４に排気口１１を形成する。尚、基盤３は、正面板１００−２の上部１００−２ａと下部１００−２ｂに間隔をおいて、この正面板１００−２の中部１００−２ｃに設けられる。方形状の本体１００は、放熱性に優れるアルミがよいが、ステンレス、樹脂等の素材でも可能である。また、図示しないが、フィン、窓（フィルタを備えた構造。以下同じ）、又は孔、溝等を形成し、放熱範囲、面積の拡充を図ることも有益である。
【００１９】
水槽２の正面側と基盤３の背面側との間には吸込み風（外気）が通過できる空気通路５が形成されており、かつ空気通路５は、水槽２の底板２００−１外面と超音波加湿器本体１００の底板１００−５内面との間にも形成される。従って、外気で水槽２内の水と基盤３、及び／又は、複数基の電気機器６とを空冷する構造であり、換言すると、超音波加湿器本体１に収容される各種の器材（水槽２、基盤３、電気機器６と、後述するリレー基板、加湿ユニット等）でなる超音波加湿器Ａを空冷する構造である。
【００２０】
水槽２の正面側の吸込み側には、リレー基板８が設けられており、基盤３とは別個に空冷する構造を採用し、両者の（水槽２とリレー基板８との）空冷効果を図る。そして、前述した空気通路５は、この水槽２の下端に設けた加湿ユニット７と、超音波加湿器本体１００の底板１００−５内面との間にも形成されており、空気通路５で加湿ユニット７の主として、発振器を冷却する。この例の如く、水槽２の正面側の吸込み側に、リレー基板８を設ける。これにより、例えば、リレー基板８を、排気側の給水部１２で発生する水の漏洩から保護する。
【００２１】
超音波加湿器本体１００の一面板１００−３にはフィルタ等を備えた吸込み口１０を開設するとともに、他面板１００−４には排気口１１を開設し、この吸込み口１０と排気口１１は、それぞれ空気通路５に連通する。従って、外気（空気）は、吸込み口１０から、各空気通路５を通り、排気口１１より超音波加湿器本体１００外に到る。
【００２２】
図中２０は、吸込み口１０か、又はその近傍に設けたファンであり、吸込み口１０から外気を吸込むとともに、空気通路５に外気を押し込む役割を担う。
【００２３】
図中２１は、蓋体１０１の開口１０１ａに設けた霧の吹出ケーシングである。この吹出レーシング２１の吹出口２１００より細霧が吹出される。
【００２４】
以下、外気の流れを説明すると、ファン２０の働きで、吸込み口１０より超音波加湿器本体１００に吸込まれた外気は、少なくとも、水槽２の正面側と基盤３の背面側との間に形成された空気通路５、及び加湿ユニット７と、超音波加湿器本体１００の底板１００−５内面との間にされた空気通路５とを介して送られることで、基盤３、及び／又は、電気機器６と、加湿ユニット７と、又は水槽２とを、それぞれ別々に、空冷しながら送られる（図３において、向かって、右側から左側に向かって流れる）。そして、排気口１１より超音波加湿器本体１００外に到る構造である。従って、水槽２の水温に関係なく、基盤３、及び／又は、電気機器６を確実、かつ効率的に空冷できる。
【００２５】
以上で説明した一実施例は、好ましい一例を示したものであり、同様な効果と特徴を有する他の構造、手段は、本発明の範疇である。
【符号の説明】
【００２６】
１  超音波加湿器
１００  本体
１００ａ  開口
１００−１  背面板
１００−２  正面板
１００−２ａ  上部
１００−２ｂ  下部
１００−２ｃ  中部
１００−３  一面板
１００−４  他面板
１００−５  底板
１０１  蓋体
１０１ａ  開口
２  水槽
２００−１  底板
３  基盤
５  空気通路
６  電気機器
７  加湿ユニット（発振器）
８  リレー基板
１０  吸込み口
１１  排気口
１２  給水部
２０  ファン
２１  吹出ケーシング
２１００  吹出口
【図１】
0006576720.tif 000002
【図２】
0006576720.tif 000003
【図３】
0006576720.tif 000004